(57)【特許請求の範囲】
【請求項１】
下面を開口した四角箱状のコイン処理装置本体に嵌め込まれたコインチューブと、該コインチューブから払い出される釣銭コインを返却通路に導くボトムベースとを備え、該ボトムベースを該コイン処理装置本体の左右に位置する各側板間の下部に設置したコイン処理装置において、
前記ボトムベースの左右に位置する各側板の前後には外方に突出した支持突起を設けるとともに、前後の各支持突起の前面側及び後側の支持突起の後面側には該ボトムベースの各側板との間で鋭角となる傾斜面を設け、
前記コイン処理装置本体の各側板には該各支持突起を前後にスライド自在でかつ上下に回動自在に案内する長穴で形成した案内穴を設けるとともに、該コイン処理装置本体の各側板の下端内面には下端に向かうに従って外方向に傾斜したテーパー面を形成した
ことを特徴とするコイン処理装置。
【請求項２】
前記ボトムベースの各側板の前側には外方に突出した係止突起を一体に設け、前記コイン処理装置本体の各側板には該係止突起が係脱自在の係止穴を設けた
ことを特徴とする請求項１記載のコイン処理装置。
【請求項３】
前記各係止突起の前面側には前記ボトムベースの各側板との間で略直角となる垂直面を有する
ことを特徴とする請求項２記載のコイン処理装置。
【請求項４】
前記各係止突起は前記ボトムベースの各側板から前面側に一体に延在した弾性の把持板に形成した
ことを特徴とする請求項２又は請求項３記載のコイン処理装置。
【発明の詳細な説明】
【０００１】
【発明の属する技術分野】
本発明は、自動販売機等に内蔵されたコイン処理装置であり、特にコインチューブの下方に設置されたボトムベースの係脱構造に関するものである。
【０００２】
【従来の技術】
従来、この種のコイン処理装置は、投入コインを金種別に収納するコインチューブを有し、釣銭を払い出す際は釣銭払い出し装置を駆動してコインチューブからコインを落下させ、この落下コインをボトムベースを通じて返却通路に導き、返却口に案内する。
【０００３】
ここで、ボトムベースは釣銭払い出し装置と返却通路との間に配置されているが、釣銭払い出し装置とボトムベースとの間に堆積した塵埃やコインと構成部品との間の摩耗粉により、また、釣銭払い出し装置の不具合により、釣銭コインが釣銭払い出し装置とボトムベースとの間に詰まる場合がある。
【０００４】
このような釣銭詰まりを解消するため、従来、ボトムベースの構造として図１１乃至図１３の(a)(b)(c)(d)に示すものが提案されている。ここで、図１１はボトムベースが設置されているコイン処理装置の下部を示す正面図、図１２はボトムベースの底面図、図１３の(a)(b)(c)(d)はボトムベースの取り外し操作を示す側面図である。
【０００５】
このボトムベース１はコイン処理装置本体２の下部に設置されているもので、具体的に説明すれば、図示しないコインチューブの下方に図示しない釣銭払い出し装置が設置され、この釣銭払い出し装置の下方にボトムベース１が設置されている。また、ボトムベース１はコイン処理装置本体２の側板２ａに設置されるもので、ボトムベース１の側板１ａの後側には支持突起１ｂを有し、また、側板１ａの前側には案内突起１ｃ及び係止棒１ｄを有している。この係止棒１ｄは弾性の把持具１ｅに連結しており、図１２の矢印に示すように、把持具１ｅを把持することにより係止棒１ｄがボトムベース１の内側に引かれる。
【０００６】
一方、このボトムベース１を支持するコイン処理装置本体２の側板２ａには、その後側に支持突起１ｂを案内支持する略逆Ｌ字状の支持溝２ｂを形成し、前側には案内突起１ｃを案内する案内溝２ｃと係止棒１ｄを支える係止穴２ｄを形成している。
【０００７】
このように構成されたボトムベース１は、コイン処理装置本体２に装着された状態では、図１３の(a)に示すように、支持突起１ｂが支持溝２ｂの上端に支持される一方、係止棒１ｄが係止穴２ｄに支持されており、これにより、ボトムベース１がコイン処理装置本体２の側板２ａに支持されている。
【０００８】
次に、コイン詰まり等を解消するため、ボトムベース１を側板２ａから外すときは、図１２の矢印に示すように、把持具１ｅを把持し係止棒１ｄの先端をボトムベース１の内側に向かって引き、係止穴２ｄから係止棒１ｄを外す。しかる後、図１３の(b)に示すように、支持突起１ｂを軸としてボトムベース１を下方に回転させ、図１３の(c)に示すように、ボトムベース１を下方に向かって吊した状態にする。そして、図１３の(d)の太矢印に示すように、支持突起１ｂを支持溝２ｂを通じて下方に向かって引き下げ、ボトムベース１をコイン処理装置本体２から外す。
【０００９】
これにより、ボトムベース１の上方に配置された釣銭払い出し装置にコインが詰まった場合でも、コイン処理装置本体２の下方から手指を入れてコインを外すことができるし、また、釣銭払い出し装置とボトムベース１との間に挟まったコインも取り出すことができる。
【００１０】
【発明が解決しようとする課題】
このようにボトムベース１を着脱することによりコイン詰まりを解消することができるが、従来のボトムベース１は図１３に示すように下方に向かって回転させるため、このボトムベース１の下方に大きな回転空間が必要となる。
【００１１】
ところで、このボトムベース１の下方にはこれを通過した釣銭コインを受ける返却通路が近接配置されている場合が多いため、既設状態のコイン処理装置ではボトムスペースの下方には大きな回転空間を取ることができない。このため、実際のコイン詰まりの解消作業では、まず、コイン処理装置全体を自動販売機等から外し、しかる後、ボトムベース１をコイン処理装置本体２から外して実施していた。また、このような作業はボトムベース１の清掃作業でも同様の手順となっている。
【００１２】
この従来のボトムベース１においては、側板２ａの支持溝２ｂにはボトムベース１を前後にスライドし得る横溝部２ｅを有するが、この横溝部２ｅを通じてボトムベース１を前後にスライドするためには、図１３の(b)に示すように、ボトムベース１を下方に向かって回転させ、案内溝２ｃから案内突起１ｃを外す必要があるし、また、このような案内突起１ｃの外し操作を可能にする回転空間があったとしても、この横溝部２ｅが僅かな距離となっているため、ボトムベース１を前方に引き出した際、ボトムベース１の前面側の僅かな場所のみが開放されるに過ぎないため、コイン詰まりの解消作業や清掃作業が実質的には不可能なものとなっている。
【００１３】
従って、これではコイン詰まりの度に、また、ボトムベース１の清掃作業の度に、コイン処理装置全体を外さなければならず、コイン詰まりの解消作業や清掃作業が面倒なものとなっていた。
【００１４】
本発明の目的は前記従来の課題に鑑み、コイン詰まりの解消や清掃作業が簡単なコイン処理装置を提供することにある。
【００１５】
【課題を解決するための手段】
本発明は前記従来の課題に鑑み、請求項１の発明は、下面を開口した四角箱状のコイン処理装置本体に嵌め込まれたコインチューブと、該コインチューブから払い出される釣銭コインを返却通路に導くボトムベースとを備え、該ボトムベースを該コイン処理装置本体の左右に位置する各側板間の下部に設置したコイン処理装置において、前記ボトムベースの左右に位置する各側板の前後には外方に突出した支持突起を設けるとともに、前後の各支持突起の前面側及び後側の支持突起の後面側には該ボトムベースの各側板との間で鋭角となる傾斜面を設け、前記コイン処理装置本体の各側板には該各支持突起を前後にスライド自在でかつ上下に回動自在に案内する長穴で形成した案内穴を設けるとともに、該コイン処理装置本体の各側板の下端内面には下端に向かうに従って外方向に傾斜したテーパー面を形成した構造となっている。
【００１７】
請求項２の発明は、請求項１に係るコイン処理装置において、ボトムベースの側板の前側には外方に突出した係止突起を一体に設け、コイン処理装置本体の側板には係止突起が係脱自在の係止穴を設けた構造となっている。この発明によれば、係止突起をボトムベースの側板に一体に形成しているため、従来の如く係止棒等の別部品を用意する必要がない。
【００１８】
請求項３の発明は、請求項２に係るコイン処理装置において、係止突起の前面側にはボトムベースの側板との間で直角となる垂直面を有する構造となっている。この発明によれば、ボトムベースの装着状態時は係止突起の垂直面が案内穴等の前端に対向しボトムベースの前方への移動を規制する。
【００１９】
請求項４の発明は、請求項２又は請求項３に係るコイン処理装置において、係止突起はボトムベースの側板から前面側に延在したを弾性の把持板に形成した構造となっている。この発明によれば、把持板の弾性を利用して係止突起を係止穴から外したり、或いは、係止突起を係止穴に挿入することができる。
【００２０】
【発明の実施の形態】
図１乃至図１０は本発明に係るコイン処理装置の一実施形態を示すもので、図１はコイン処理装置の外観斜視図、図２はボトムベースの斜視図、図３はボトムベースの側面図、図４の(a)(b)は係止突起を示す図、図５の(a)(b)(c)は係止突起の外し操作を示す断面図、図６の(a)(b)(c)は前側支持突起を示す図、図７の(a)(b)は後側支持突起を示す図、図８の(a)(b)(c)はボトムベースの引き出し操作及び取り外された状態を説明する側面図、図９の(a)(b)はボトムベースの収納方法の初期工程を示す側面図、図１０の(a)(b)はボトムベースの収納方法の終了工程を示す側面図である。
【００２１】
まず、自動販売機に内蔵されているコイン処理装置の概要を図１を参照して説明する。コイン処理装置の筐体を構成するコイン処理装置本体１０の内部にはその上部にコイン投入口１０１を有し、このコイン投入口１０１を通じてコインを導入する。この導入されたコインは、コイン投入口１０１の下部に配置されたコイン識別部（図示しない）で正偽及び金種が判定される。このコイン識別部で偽貨と判定されたものは、返却通路を通じて自動販売機の返却口（図示しない）に返却される。一方、正貨と判定されたコインはコイン識別部の下方に配置されたコインチューブ１０３に案内され、これに積み重ねながら収納される。また、コインチューブ１０３に収納されたコインは釣銭コインとして利用され、釣銭を払い出すときはコインチューブ１０３の下方に設置された図示しない釣銭払い出し装置が駆動する。この釣銭払い出し装置の下方には釣銭払い出し装置により選択された釣銭コインを図８に示す返却通路１０４に導くボトムベース２０が設置されている。
【００２２】
本実施形態はこのボトムベース２０の引き出し構造に特徴的構成を有するもので、その他の構成は従来のコイン処理装置と同様の構成となっている。以下、本実施形態に係るボトムベース２０の構造及びこれの引き出し構造を説明する。
【００２３】
ボトムベース２０は、図２に示すように、偏平箱状に形成したもので、上面には釣銭払い出し装置から払い出されたコインを下方に向かって案内するコイン通過穴２０１を有している。また、ボトムベース２０の側板２０２にはその下寄りの前側には係止突起２０３が外方に突出し、上寄りの前後には前側支持突起２０４と後側支持突起２０５が同じく外方に突出している。
【００２４】
この係止突起２０３は、図４の(a)（平面図）及び図４の(b)（側面図）に示すように、略偏平円柱状に形成され、その周側面のうち、前側側面には側板２０２から垂直に立ち上がった垂直面２０３ａと垂直面２０３ａの上端から側板２０２に対して鋭角となっている前側傾斜面２０３ｂを有する一方、後側側面には側板２０２に対して鋭角の後側傾斜面２０３ｃを有している。
【００２５】
前側支持突起２０４は、図６の(a)（平面図）、図６の(b)（側面図）及び図６の(c)（正面図）に示すように、略偏平円柱状に形成され、その周側面のうち、前面及び上面に側板２０２に対して鋭角の上側傾斜面２０４ａと前側傾斜面２０４ｂを有している。
【００２６】
後側支持突起２０５は、図７の(a)（側面図）及び図７の(b)（平面図）に示すように、略円錐台形状に形成され、その周側面のうち、前後には側板２０２に対して鋭角の前側傾斜面２０５ａと後側傾斜面２０５ｂを有している。
【００２７】
また、係止突起２０３が形成されている側板２０２には把持板２０６が形成されている。この把持板２０６は、図２及び図３に示すように、側板２０２の係止突起２０３と前側支持突起２０４との間からボトムベース２０の前面板２０７に亘ってスリット２０８を形成し、このスリット２０８よりも下方の板で構成したものである。また、把持板２０６の先端は内側に屈曲して引っ掛け部２０６ａを形成し、人の指が容易に引っかけられるようにしている。
【００２８】
このように構成されたボトムベース２０はコイン処理装置本体１０の側板１０５の下部に収納されている。この側板１０５の下部側の構造を主に図８及び図９を参照して説明する。即ち側板１０５の下部には前後方向に延びる長穴で形成された案内穴１０５ａを有し、この案内穴１０５ａにボトムベース２０の前後の支持突起２０４，２０５が摺動自在及び回動自在に嵌め込まれている。また、側板１０５の下部の前側には係止穴１０５ｂが穿設されており、この係止穴１０５ｂにボトムベース２０の係止突起２０３が嵌め込まれている。
【００２９】
以上のように構成されたボトムベース２０において、ボトムベース２０の引き出し作業を図５及び図８を参照して説明する。
【００３０】
ボトムベース２０の待機状態、即ちコイン処理装置本体１０にボトムベース２０を収納した状態では、係止突起２０３の垂直面２０３ａが案内穴１０５ａの前端に垂直に対向しているため、ボトムベース２０がコイン処理装置本体１０の前面開口から抜け出ることがない。このボトムベース２０をコイン処理装置本体１０から引き出すときは、図５に示す引っ掛け部２０６ａをコイン処理装置本体１０の前面側から片方の手指で把持し、図５の(b)に示すように、引っ掛け部２０６ａを内側に向かって力を加える。これにより、把持板２０６が内側に向かって湾曲し、係止穴１０５ｂに嵌まっている係止突起２０３が外れる。ここで、係止突起２０３の前面には傾斜面２０３ｂが形成されているため、係止突起２０３が係止穴１０５ｂの内周縁に係止することなく容易に外れる。次に、図５の(c)及び図８の(b)に示すように、把持状態でボトムベース２０を手前側に向かって引く。このボトムベース２０を引き出すとき、前側支持突起２０４の前側が案内穴１０５ａの前端に当たるが、この前側支持突起２０４の前側が傾斜面２０４ｂとなっており、また、コイン処理装置本体１０の側板１０５の内面に案内穴１０５ａの前端に向かって延びる案内溝１０５ｃを形成しているため、前側支持突起２０４が案内穴１０５ａの前端を滑るように乗り越え、ボトムベース２０が円滑に前方に引き出される。このボトムベース２０を更に前方に引き出すと後側支持突起２０５の前側が案内穴１０５ａの前端に当たる。このとき、後側支持突起２０５は、前側支持突起２０４に比べ、その高さ（外方への突出量）が高く形成しているため、ここで一旦停止する。更に強い力でボトムベース２０を前方に引き出すと、後側支持突起２０５の前側の傾斜面２０５ａが側板１０５を乗り越える。このように、強いてボトムベース２０をコイン処理装置本体１０から完全に外すことも決して不可能というわけではないが、通常のコイン詰まりの解消や清掃時はボトムベース２０を完全に外す必要がない。
【００３１】
一方、ボトムベース２０をコイン処理装置本体１０に収納するときは、図９及び図１０に示すように操作する。ボトムベース２０は、通常、工場出荷時にコイン処理装置本体１０に収納するが、図１に示すように、コイン処理装置本体１０の側板１０５の下端内面には下端に向かうに従って外方向に傾斜したテーパ面１０５ｄを形成しており、このテーパ面１０５ｄにボトムベース２０の後端を合わせコイン処理装置本体１０の下方から側板１０５間に押し付ける（図９の(a)の上方向き矢印）。これにより、後側支持突起２０５の傾斜面２０５ｂがテーパ面１０５ｄを押し広げながら側板１０５間に入り込み、図９の(a)に示すように後側支持突起２０５が案内穴１０５ａに嵌まる。その後、後側支持突起２０５を軸としてボトムベース２０を図９の(b)に示すように上方に向かって回転させる（図１０の(a)）。ここで、前側支持突起２０４の上部が側板１０５の下端に当たるが、前側支持突起２０４の上部が傾斜面２０４ａとなっているため、側板１０５の下端を容易に乗り越え、側板１０５の下端を押し広げるため、前側支持突起２０４が円滑に案内穴１０５ａに嵌まる。ここで、係止突起２０３の上側にはテーパが無いが、前側支持突起２０４が側板１０５の下端を押し広げるため、引っ掛け部２０６を把持しなくても係止突起２０３は側板１０５に当たることがないか、又は、係止穴１０５ｂのテーパ面１０５ｃに当たるため、ボトムベース２０の回転動作のみで係止突起２０３は係止穴１０５ｂに収まる。以上のように前後の支持突起２０４，２０５が案内穴１０５ａに嵌まったとき、係止突起２０３が係止穴１０５ｂに嵌まる。これにより、図１０の(b)に示すように、ボトムベース２０がコイン処理装置本体１０に収納される。
【００３２】
以上、コイン処理装置本体１０からボトムベース２０を引き出す操作について説明したが、ボトムベース２０を回転してその上面を開放することもできる。即ち、前述したように、図８の(a)(b)に示すように、把持部２０６ａを把持してボトムベース２０を途中まで引き出す。次いで、図９の(a)(b)の操作を逆に操作することにより、後側支持突起２０５を軸としてボトムベース２０を下方に向かって回転する。これにより、ボトムベース２０が吊り下げられた状態で開放される。このような操作は、自動販売機の扉体Ａ（図８を参照）からコイン処理装置全体を外してメンテナンスを行う場合に有効な手段となっている。
【００３３】
また、コイン詰まり時、釣銭払い出し装置とボトムベース２０との間にコインが噛み込まれ、ボトムベース２０を下方へ強く押し下げる力が加わって、ボトムベース２０を前方に引き出せない場合がある。このようコイン詰まりのときは、コイン処理装置本体１０の係止穴１０５ｂ付近を外側に向かって押し広げるようにする。これにより、支持突起２０４が案内穴１０５ａから外れ、ボトムベース２０が図１０の(a)に示したような状態、即ちボトムベース２０の前部がコイン処理装置本体１０より下方に外れた状態になり、この外れ動作によりコインの噛み込みが解かれ、前方のスライド操作が可能となる。
【００３４】
本実施形態によれば、前述の如く、ボトムベース２０がコイン処理装置本体１０の側板１０５に前面から引き出し自在となっているため、ボトムベース２０の引き出し作業及び収納作業は単にボトムベース２０を前後に移動するだけで良く、コイン処理装置を扉体Ａに装着した状態でボトムベース２０を引き出すことができる。
【００３５】
また、前後の支持突起２０４，２０５でボトムベース２０がコイン処理装置本体１０に支持されることはもとより、ボトムベース２０を引き出す際、各傾斜面２０４ｂが案内穴１０５ａの前端を乗り越えるため、ボトムベース２０が円滑に引き出される。
【００３６】
更に、係止突起２０３をボトムベース２０の側板２０２に一体に形成しているため、従来の如く係止棒等の別部品を用意する必要がない。
【００３７】
更にまた、ボトムベース２０の収納時は係止突起２０３の垂直面２０３ａがボトムベース２０の前方への移動を規制する一方、係止突起２０３の後側傾斜面２０３ｃによりボトムベース２０が円滑にコイン処理装置本体１０内に移動する。
【００３８】
更にまた、コイン処理装置全体を扉体Ａから外し図９に示すようにメンテナンスを実施する際は、ボトムベース２０がコイン処理装置本体１０から吊り下げられた状態で外れることがないので、メンテナンス時にボトムベース２０を紛失することがない。
【００３９】
【発明の効果】
以上説明したように、請求項１の発明によれば、ボトムベースの引き出し作業或いは収納作業は単にボトムベースを前後に移動するだけであり、自動販売機の扉体に取り付けられているコイン処理装置を取り外すことなく、簡単にコイン詰まり等の不具合を解消することができる。また、ボトムベースを引き出す際、支持突起の傾斜面が案内穴の前端を乗り越えるため、ボトムベースが円滑に引き出される。
【００４１】
請求項２の発明によれば、コイン処理装置本体の係止穴に係脱する係止突起をボトムベースの側板に一体に形成しているため、従来の如く係止棒等の別部品を用意する必要がなく、コストの低減を図ることができる。
【００４２】
請求項３の発明によれば、ボトムベースの収納状態時は係止突起の垂直面が案内穴等の前端に対向しボトムベースの前方への移動を規制するため、ボトムベースが外れることがない。
【００４３】
請求項４の発明によれば、把持板の弾性を利用して係止突起を係止穴から外したり、或いは、係止突起を係止穴に挿入することができ、ボトムベースの引き出し作業が簡単になる。
【図面の簡単な説明】
【図１】本発明に係るコイン処理装置の外観斜視図
【図２】本発明に係るボトムベースの斜視図
【図３】本発明に係るボトムベースの側面図
【図４】本発明に係る係止突起を示す図
【図５】本発明に係る係止突起の外し操作を示す断面図
【図６】本発明に係る前側支持突起を示す図
【図７】本発明に係る後側支持突起を示す図
【図８】本発明に係るボトムベースの引き出し操作を説明する側面図
【図９】ボトムベースの収納方法の初期工程を示す側面図
【図１０】ボトムベースの収納方法の終了工程を示す側面図である。
【図１１】従来のボトムベースの取付状態を示す正面図
【図１２】従来のボトムベースの底面図
【図１３】従来のボトムベースの取り外し操作を説明する側面図
【符号の説明】
１０…コイン処理装置本体、２０…ボトムプレート、１０３…コインチューブ、１０４…返却通路、１０５…側板、１０５ａ…案内穴、１０５ｂ…係止穴、２０２…側板、２０３…係止突起、２０３ａ…垂直面、２０３ｂ，２０３ｃ，２０４ａ，２０４ｂ，２０５ａ，２０５ｂ…傾斜面、２０６…把持板。
【図１】
0003966684.tif 000002
【図２】
0003966684.tif 000003
【図３】
0003966684.tif 000004
【図４】
0003966684.tif 000005
【図５】
0003966684.tif 000006
【図６】
0003966684.tif 000007
【図７】
0003966684.tif 000008
【図８】
0003966684.tif 000009
【図９】
0003966684.tif 000010
【図１０】
0003966684.tif 000011
【図１１】
0003966684.tif 000012
【図１２】
0003966684.tif 000013
【図１３】
0003966684.tif 000014